(57)【要約】      （修正有）【課題】嬰児や乳児又は挙動の不便な老弱、あるいは痴呆や尿失禁患者などのように正常に小便をし難いとか自分の意志とは無関係に排尿する人々の性器に着用して排尿時に効果的に小便を吸収することができる小便吸収用パックを提供する。【解決手段】性器１に装着され、性器１から排尿された小便が流入する注入口１１ａを備え、固定するための接着テープ、面ファスナーテープ又は紐の少なくとも一つを備える小便袋１１、小便袋１１の内側面に備えられ、内部に流入した小便を吸収する吸収部材１２、及び注入口１１ａに備えられ、注入口１１ａの内部に挿入された性器１を加圧して固定する固定部材１３、を含む。【選択図】図１
0003220650.tif 000002
【実用新案登録請求の範囲】
【請求項１】
性器に装着され、前記性器から排尿された小便が流入する注入口を備え、身体に固定するための接着テープ、ベルクロ（登録商標）テープ又は紐の少なくとも一つを備える小便袋、
前記小便袋の内側面に備えられ、前記小便袋の内部に流入した小便を吸収する吸収部材、
前記注入口に備えられ、前記注入口の内部に挿入された性器を加圧して固定する固定部材、
前記注入口に備えられて膣の内部に挿入され、剛性を有するシリコン素材からなり、外側縦断部に行くほど幅が小さくなる構造の固定具、及び
前記固定具に備えられ、前記固定具が膣に挿入された後、小便が排尿される尿道口に密着し、前記尿道口から排尿される小便を前記小便袋に流入させる小便受け具、
を含み、
前記固定具は、前記注入口に着脱可能に取り付けられ、男性性器に装着するときは、男性性器が挿入されるように、前記固定具を前記注入口から分離して使うとか前記注入口の内側に挿入して使い、挿入して使うとき、小便が小便袋の内部に流入するように、固定具の縦断には流入孔が貫設されることを特徴とする、小便吸収用パック。
【請求項２】
前記小便袋と連通して、前記吸収部材に吸収されずに前記小便袋に残存する小便を排出させる排出ホース、及び
前記排出ホースの排出口を密閉する蓋、
をさらに含むことを特徴とする、請求項１に記載の小便吸収用パック。
【考案の詳細な説明】
【技術分野】
【０００１】
本考案は小便吸収用パックに関し、より詳しくは、嬰児や乳児又は挙動の不便な老弱、あるいは痴呆や尿失禁患者などのように、正常に小便をし難いとか自分の意志とは無関係に排尿する人々の性器に直接付着（男性）又は挿入（女性）されて、排尿時に効果的に小便を吸収することができる小便吸収用パックに関する。
【背景技術】
【０００２】
一般に、嬰児や乳児又は挙動の不便な老弱、あるいは痴呆や尿失禁患者などのように正常に小便をし難いとか自分の意志とは無関係に排尿する人々はおむつを着用して小便を受けているが、おむつは随時入れ替えなければならない不便さがあり、小便量が多くなれば多くなるほど着心地が悪くなる問題点があった。
【０００３】
このような問題点を解決するために、韓国公開特許第１０−２００９−００２０４４０号公報（公開日：２００９．０２．２６）では、手術患者又は痴呆や尿失禁患者などが使うことができる小便受け容器である衛生便利パックを提案した。使用者は衛生便利パックの入口を通じて小便などを解決し、使用後には内容物を臨時保管するように入口に接着剤が付着されている。
【０００４】
しかし、韓国公開特許第１０−２００９−００２０４４０号公報で提案した衛生便利パックは、単に小便を保存する保存容器としてのみ機能するから、排尿後に衛生便利パックに液状の小便が保存された状態で使用者が挙動する場合、その動きと連動して液状の小便が衛生便利パック内でだぶついて挙動が不便な問題点があった。
【先行技術文献】
【特許文献】
【０００５】
【特許文献１】韓国公開特許第１０−２００９−００２０４４０号公報
【考案の概要】
【考案が解決しようとする課題】
【０００６】
したがって、本考案は従来技術の問題点を解決するためになされたもので、嬰児や乳児又は挙動の不便な老弱、あるいは痴呆や尿失禁患者などのように正常に小便をし難いとか自分の意志とは無関係に排尿する人々の性器に着用して排尿時に効果的に小便を吸収することができる小便吸収用パックを提供することにその目的がある。
【課題を解決するための手段】
【０００７】
前述した目的を達成するための本考案は、性器に装着され、前記性器から排尿された小便が流入する注入口を備えた小便袋、前記小便袋の内側面に備えられ、前記小便袋の内部に流入した小便を吸収する吸収部材、及び前記注入口に備えられ、前記注入口の内部に挿入された性器を加圧して固定する固定部材を含むことを特徴とする小便吸収用パックを提供する。
【０００８】
好ましくは、前記注入口に備えられ、膣の内部に挿入される固定具、及び前記固定具に備えられ、前記固定具が膣に挿入された後、小便が排尿される尿道口に密着し、前記尿道口から排尿される小便を前記小便袋に流入させる小便受け具をさらに含むことができる。
【０００９】
好ましくは、前記固定具は前記注入口に着脱可能に取り付けられ、男性性器に装着するときには男性性器が挿入されるように、前記固定具を前記注入口から分離して使うとか前記注入口の内側に挿入して使うことができる。
【００１０】
好ましくは、前記小便袋と連通して、前記吸収部材に吸収されずに前記小便袋に残存する小便を排出する排出ホース、及び前記排出ホースの排出口を密閉する蓋をさらに含むことができる。
【考案の効果】
【００１１】
以上で説明したように、本考案によると、次のような効果を得ることができる。
【００１２】
第一に、本考案によると、小便袋の内側全面に吸収部材を備えた小便吸収用パックを提供することで、前記小便袋の内部に流入した小便を単純に保存するものではなく、前記小便袋の内部に流入した小便を前記吸収部材が吸収して、使用者の挙動時に小便がだぶつくことによる不便さを最小化することができる。
【００１３】
第二に、本考案によると、小便袋の注入口に固定部材を備えた小便吸収用パックを提供することで、前記小便袋の注入口に男性性器が挿入された状態で前記小便袋が男性性器からなかなか分離されないように固定することにより、前記小便袋を男性性器に装着して長期間使っても前記小便袋の離脱を防止することができる。
【００１４】
第三に、本考案によると、小便袋の注入口に固定具及び前記固定具に備えられた小便受け具をさらに備えた小便吸収用パックを提供することで、単一製品を男女の誰でも共用して簡便に装着して使うことができるので、活用性を向上させることができる。
【００１５】
第四に、本考案によると、小便袋と連通して、前記小便袋に残存する小便を排出する排出ホースと、前記排出ホースの排出口を密閉する蓋をさらに備えた小便吸収用パックを提供することで、小便量が多くて前記吸収部材に全部吸収されずに前記小便袋の内部に液状で残存する小便を最小化することができる。
【図面の簡単な説明】
【００１６】
【図１】本考案の第１実施例による小便吸収用パックを説明する図である。
【図２】図１に示した吸収部材が小便吸収用パックから分離された状態を示す図である。
【図３】図１に示した小便吸収用パックの断面を示す断面図である。
【図４】本考案の第２実施例による小便吸収用パックを説明する図である。
【図５】一般的な女性性器の構造を説明する拡大図である。
【図６】本考案の第３実施例による小便吸収用パックを説明する図である。
【図７】図６に示した固定具が注入口の内部に挿入された状態を示す図である。
【図８】本考案の第４実施例による小便吸収用パックを説明する図である。
【考案を実施するための形態】
【００１７】
本考案の利点及び特徴、そしてそれらを達成する方法は添付図面に基づいて詳細に後述する実施例から明らかになるであろう。しかし、本考案は以下で開示する実施例に限定されるものではなく、相異なる多様な形態に具現可能であろう。
【００１８】
本明細書において、幾つかの実施例は本考案の開示を完全にし、本考案が属する技術分野で通常の知識を有する者に考案の範疇を完全に知らせるために提供するものである。そして、本考案は請求項の範疇によって定義されるだけである。したがって、いくつかの実施例において、よく知られた構成要素、よく知られた動作及びよく知られた技術は本考案があいまいに解釈されることを避けるために具体的に説明しない。
【００１９】
また、明細書全般にわたって同じ参照符号は同じ構成要素を指す。そして、本明細書で使った（言及した）用語は実施例を説明するためのもので、本考案を制限しようとするものではない。本明細書において、単数型は文脈で特に言及しない限り、複数型も含む。また、‘含む（又は備える）’と言及した構成要素及び動作は一つ以上の他の構成要素及び動作の存在又は追加を排除しない。
【００２０】
他の定義がない限り、本明細書で使う全ての用語（技術及び科学用語を含む）は本考案が属する技術分野で通常の知識を有する者に共通して理解可能な意味として使うことができる。また、一般的に使われる予め定義されている用語は、特に定義されていない限り、理想的に又は過度に解釈されない。
【００２１】
以下、添付図面に基づいて本考案の技術的特徴を具体的に説明する。
【００２２】
図１は本考案の第１実施例による小便吸収用パックを説明する図、図２は図１に示した吸収部材が小便吸収用パックから分離された状態を示す図、図３は図１に示した小便吸収用パックの断面を示す断面図である。
【００２３】
図１〜図３を参照すると、本考案の第１実施例による小便吸収用パック１０は男性専用小便吸収用パックであり、男性性器１が内部に挿入される注入口１１ａを備え、男性性器１から流入した小便を保存する小便袋１１と、小便袋１１の内側面に備えられ、男性性器１から小便袋１１の内部に流入した流入した小便を吸収する吸収部材１２と、小便袋１１の注入口１１ａに備えられ、注入口１１ａの内部に挿入された男性性器１を加圧して固定する固定部材１３とを含む。
【００２４】
小便袋１１は合成樹脂素材、好ましくは軽量のビニル素材からなり、少なくとも一側部には、男性性器１が内部に挿入されるように、注入口１１ａを備えている。ここで、注入口１１ａは小便袋１１と同一のビニル素材からなるとか、あるいは男性性器１が直接接触するため、人体に無害なシリコン素材からなることもできる。
【００２５】
また、小便袋１１には、小便袋１１を身体、例えば内もも又は股ぐらの周辺に付着するために、接着テープを備えているか、あるいは小便袋１１を使用者の内もも又は腰などに縛って固定するために、ベルクロ（登録商標）テープ又は紐などを備えることができる。
【００２６】
吸収部材１２は、図２及び図３のように、小便袋１１の内側面に付着されるとかあるいは縫着によって固定され、小便袋１１の内部に流入する小便を吸収する。このような吸収部材１２はおむつ又は女性用パッドに使われる吸収部材と同じ素材を使うことができる。
【００２７】
固定部材１３は、図１及び図２のように、小便袋１１の注入口１１ａに男性性器１が挿入された状態で小便袋１１が男性性器１からなかなか分離されないように固定するためのものであり、弾性バンド、ベルクロ（登録商標）テープ、紐又はベルトなどからなることができる。
【００２８】
このように、本考案の第１実施例による小便吸収用パック１０は小便袋１１の内部に吸収部材１２を備えることにより、小便袋１１の内部に流入した小便を単純に保存するものではなく、吸収部材１２が小便袋１１の内部に流入した小便を吸収して、使用者の挙動時に小便がだぶつくことによる不便さを最小化することができる。
【００２９】
また、本考案の第１実施例による小便吸収用パック１０は小便袋１１の注入口１１ａに固定部材１３を備えることで、小便袋１１の注入口１１ａに男性性器１が挿入された状態で小便袋１１が男性性器１からなかなか分離されないように固定することにより、小便袋１１を長期間着用しても小便袋１１の離脱を防止することができる。
【００３０】
図４は本考案の第２実施例による小便吸収用パックを説明する図、図５は一般的な女性性器の構造を説明する拡大図である。
【００３１】
図４及び図５を参照すると、本考案の第２実施例による小便吸収用パック２０は女性専用で女性性器２に装着されて使われるものであり、本考案の第１実施例と同様に、小便袋２１と、小便袋２１の内部に備えられた吸収部材２２とを含む。
【００３２】
そして、本考案の第２実施例による小便吸収用パック２０は、小便袋２１の一側部には固定具２１ａが備えられ、これが女性の膣２ａの内部に挿入固定され、固定具２１ａの上部には、固定具２１ａが女性の膣２ａに挿入された後、小便が流入する尿道口２ｂに密着し、尿道口２ｂから排尿される小便が流入する小便受け具２３を備える。
【００３３】
固定具２１ａは小便袋２１と一体的にビニル素材からなるとか、人体に無害なシリコン素材からなることができる。好ましくは、女性の膣２ａに挿入されるように一定の剛性を有するシリコン素材からなることが好ましく、外側の縦断部に行くほど幅が小さくなる構造になって安定的に女性の膣２ａの内部に挿入されることができる。
【００３４】
小便受け具２３は小便袋２１より厚い素材のビニル素材からなるとか、あるいは人体に無害なシリコン素材からなることができる。そして、固定具２１ａを通じて小便袋２１と連通する小便受け具２３に排尿された小便は小便袋２１に流入する。
【００３５】
このような小便受け具２３は、図４のように、固定具２１ａの外面に脱着可能に付着されることができ、尿道口２ｂから排尿された小便が外部に流れないように上部が下部より大きな幅を有する構造、すなわち略漏斗状になることが好ましい。
【００３６】
図６は本考案の第３実施例による小便吸収用パックを説明する図、図７は図６に示した固定具が注入口の内部に挿入された状態を示す図である。
【００３７】
図６及び図７を参照すると、本考案の第３実施例による小便吸収用パック３０は、男女共用に使うために、図１に示した男性専用小便吸収用パック１０と図４に示した女性専用小便吸収用パック２０を結合した構造であり、小便袋３１、吸収部材３２及び固定部材３３を含み、これに加え、注入口３１ａに備えられ、膣の内部に挿入される固定具３４と、固定具３４に備えられた小便受け具３５をさらに含む。ここで、小便袋３１、吸収部材３２及び固定部材３３は第１実施例と同一の構造になることができる。
【００３８】
固定具３４は小便袋３１の注入口３１ａに着脱可能に取り付けられ、男性性器に装着するときは男性性器１が挿入されるように固定具３４を注入口３１ａから分離して使うとか、図７のように、注入口３１ａの内側に挿入して使うこともできる。
【００３９】
図７のように、固定具３４を小便袋３１の注入口３１ａの内側に挿入して使う場合には、注入口３１ａを通じて流入した小便が小便袋３１の内部に流入するように縦断部に流入孔３４ａが形成されることが好ましい。もちろん、固定具３４が着脱式で注入口３１ａに結合された場合には、別に流入孔３４ａを備える必要はない。
【００４０】
このような構造を有する本考案の実施例による小便吸収用パック３０の使用方法を説明すると、女性性器に装着して使おうとするときには、固定具３４を小便袋３１の注入口３１ａの外側に突出させた状態で、図６のように、女性の膣２ａに挿入して固定した後、小便受け具３５が女性の尿道口２ｂを覆うように密着させて使い、男性性器に装着して使おうとするときには、図７のように、固定具３４を注入口３１ａの内側に押し込んだ後、注入口３１ａに男性性器１を挿入して使う。
【００４１】
図８は本考案の第４実施例による小便吸収用パックを説明する図である。
【００４２】
図８を参照すると、本考案の第４実施例による小便吸収用パック４０は、第１実施例と同様に、小便袋４１、吸収部材４２及び固定部材４３を含み、小便袋４１と連通して、吸収部材４２に吸収されずに小便袋４１に残存する小便を排出する排出ホース４４と、排出ホース４４の排出口を密閉する蓋４５とをさらに含む。
【００４３】
小便袋４１の内部に流入する小便の量が多くて吸収部材４２に全部吸収されない場合、小便袋４１に吸収されなかった液状の小便が存在して挙動に不便さを与えることがあるので、本考案の第４実施例による小便吸収用パック４０は、これを防止するために、吸収されずに残存する一部の小便を外部に排出するために排出ホース４４をさらに備え、これを密閉するための蓋４５をさらに備える。
【００４４】
第４実施例による排出ホース４４と蓋４５は第２実施例及び第３実施例にもそのまま適用することができる。そして、蓋４５は、紛失を防止するために、排出ホース４４に連結される。
【００４５】
一方、具体的に示されてはいないが、第１実施例〜第４実施例による小便吸収用パック１０、２０、３０、４０は小便が流入したことを知らせるお知らせマークをさらに備えることができる。ここで、前記お知らせマークは小便袋１１、２１、３１、４１の外面に備えることができ、小便袋１１、２１、３１、４１の温度を感知して多様な色相で表現することができる。
【００４６】
以上のように、本考案の技術的思想は好適な実施例に基づいて具体的に記述したが、前述した好適な実施例はその説明のためのものであり、その制限のためのものではない。したがって、当該技術分野の当業者であれば本考案の技術思想の範疇内で本考案の実施例の組合せによって多様な実施例が可能であることが理解可能であろう。
【符号の説明】
【００４７】
１    男性性器
２    女性性器
２ａ  膣
２ｂ  尿道口
１０、２０、３０、４０      小便吸収用パック
１１、２１、３１、４１      小便袋
１２、２２、３２、４２      吸収部材
１３、３３、４３      固定部材
１１ａ      注入口
２１ａ、３４      固定具
２３、３５      小便受け具
４４      排出ホース
４５      蓋
【図１】
0003220650.tif 000003
【図２】
0003220650.tif 000004
【図３】
0003220650.tif 000005
【図４】
0003220650.tif 000006
【図５】
0003220650.tif 000007
【図６】
0003220650.tif 000008
【図７】
0003220650.tif 000009
【図８】
0003220650.tif 000010
【手続補正書】
【提出日】平成31年1月23日(2019.1.23)
【手続補正１】
【補正対象書類名】実用新案登録請求の範囲
【補正対象項目名】全文
【補正方法】変更
【補正の内容】
【実用新案登録請求の範囲】
【請求項１】
性器に装着され、前記性器から排尿された小便が流入する注入口を備え、身体に固定するための接着テープ、フックアンドループファスナーテープ又は紐の少なくとも一つを備える小便袋、
前記小便袋の内側面に備えられ、前記小便袋の内部に流入した小便を吸収する吸収部材、
前記注入口に備えられ、前記注入口の内部に挿入された性器を加圧して固定する固定部材、
前記注入口に備えられて膣の内部に挿入され、剛性を有するシリコン素材からなり、外側縦断部に行くほど幅が小さくなる構造の固定具、及び
前記固定具に備えられ、前記固定具が膣に挿入された後、小便が排尿される尿道口に密着し、前記尿道口から排尿される小便を前記小便袋に流入させる小便受け具、
を含み、
前記固定具は、前記注入口に着脱可能に取り付けられ、男性性器に装着するときは、男性性器が挿入されるように、前記固定具を前記注入口から分離して使うとか前記注入口の内側に挿入して使い、挿入して使うとき、小便が小便袋の内部に流入するように、固定具の縦断には流入孔が貫設されることを特徴とする、小便吸収用パック。
【請求項２】
前記小便袋と連通して、前記吸収部材に吸収されずに前記小便袋に残存する小便を排出させる排出ホース、及び
前記排出ホースの排出口を密閉する蓋、
をさらに含むことを特徴とする、請求項１に記載の小便吸収用パック。